(57)【要約】【課題】ユーザの操作負担を軽減したホームサーバシステムおよびコンテンツ配信方法を提供する。【解決手段】ゲートウェイ１１は、ホームサービスエリア１０に存在する通信が確立された端末１２からコンテンツサービス要求を受け、当該要求に含まれるコンテンツ識別情報とテーブル上で管理する端末管理情報を用いて上記要求を行った端末の種別に適合するコンテンツを選択し、当該選択したコンテンツを取得するコンテンツサービス要求をインターネット３０を介しコンテンツサーバシステム２０に送信する。【選択図】    図１
2006127220.tif 000002
【特許請求の範囲】
【請求項１】
複数種の端末がネットワーク接続装置を介してコンテンツサーバからコンテンツを取得するホームサーバシステムに於いて、
前記複数種の端末は、当該端末の種別情報および個体識別情報を保持する保持手段と、コンテンツ識別情報を含むコンテンツの要求を前記ネットワーク接続装置に送信する通信手段とを具備し、
前記ネットワーク接続装置は、
前記複数種の端末を対象に、通信が確立された端末それぞれの前記保持手段に保持された種別情報および個体識別情報を取得し、当該取得した情報を含む端末管理情報を生成して保持する端末管理手段と、
前記通信が確立された端末から前記要求を受け、前記要求に含まれるコンテンツ識別情報と前記端末管理手段が保持する端末管理情報を用いてコンテンツを選択し、当該選択したコンテンツを取得する要求を前記コンテンツサーバに送信するコンテンツ選択手段とを具備したことを特徴とするホームサーバシステム。
【請求項２】
前記コンテンツ選択手段は、前記コンテンツ識別情報を、前記選択したコンテンツに従うコンテンツ識別情報に変換し、当該変換したコンテンツ識別情報を含む要求を前記コンテンツサーバに送信する請求項１記載のホームサーバシステム。
【請求項３】
前記コンテンツサーバは、前記複数種の端末に対して端末の種別毎に配信用のコンテンツを備え、前記コンテンツ選択手段から受けた要求に含まれるコンテンツ識別情報に従い配信するコンテンツを選択し、要求元の前記端末に、当該端末の種別に応じたコンテンツを配信する請求項２記載のホームサーバシステム。
【請求項４】
前記端末管理手段は、前記コンテンツサーバから、端末種別とコンテンツの保存場所を示すアクセス先情報とを対応付けたサービス提供情報を取得する手段をさらに具備する請求項１記載のホームサーバシステム。
【請求項５】
前記端末管理手段は、通信可能な端末を監視し、当該監視により新規に端末を検出したとき、前記種別情報および個体識別情報と前記サービス提供情報と前記検出した端末に割り当てたＩＰアドレスをもとに前記検出した端末に固有の端末管理情報を生成しテーブル上で管理する手段を具備する請求項４記載のホームサーバシステム。
【請求項６】
前記端末管理手段は前記テーブル上で管理する前記端末管理情報に時間情報を付加し、前記テーブル上で管理する前記端末管理情報の個数を前記時間情報に従い制限する手段を具備する請求項５記載の情報システム。
【請求項７】
前記コンテンツ選択手段は、前記端末から前記コンテンツの要求を受けたとき、前記端末管理手段が管理する前記端末管理情報を参照して、前記要求を受けた端末のＩＰアドレスから当該端末の種別を認識し、当該認識した種別に従い前記コンテンツ識別情報を変換する手段を具備する請求項２記載のホームサーバシステム。
【請求項８】
前記保持手段は不揮発性のメモリで構成され、前記メモリに前記種別情報および個体識別情報が予め固定して記憶される請求項１記載のホームサーバシステム。
【請求項９】
複数種の端末がネットワーク接続装置を介してコンテンツサーバからコンテンツを取得する情報システムのコンテンツ配信方法に於いて、
前記複数種の端末は、当該端末の種別情報および個体識別情報を保持して、前記ネットワーク接続装置と通信が確立したとき種別情報および個体識別情報を前記ネットワーク接続装置に送信する手段と、コンテンツ識別情報を含むコンテンツの要求を前記ネットワーク接続装置に送信する手段とを具備し、
前記ネットワーク接続装置は、前記複数種の端末を対象に、通信が確立された端末それぞれの前記保持手段に保持された種別情報および個体識別情報を取得し、当該取得した情報を含む端末管理情報を生成し保持する手段と、
前記通信が確立された端末から前記要求を受けたとき、前記要求に含まれるコンテンツ識別情報と前記端末管理手段が保持する端末管理情報を用いてコンテンツを選択し、当該選択したコンテンツを取得する要求を前記コンテンツサーバに送信する手段とを具備し、
前記コンテンツサーバは前記ネットワーク接続装置から受けた前記要求に従い、要求元の前記端末に、当該端末の種別に応じたコンテンツを配信することを特徴とするコンテンツ配信方法。
【発明の詳細な説明】
【技術分野】
【０００１】
本発明は、複数種の端末を対象にコンテンツサービスを行うホームサーバシステムおよびコンテンツ配信方法に関する。
【背景技術】
【０００２】
従来、例えば画面サイズ、機能等を異にする複数種の端末を対象に情報サービスを行う情報サービスシステムとして、複数種の端末を対象にサービス配信を行うサーバに、複数種の端末に対して共通の端末配信用コンテンツを用意して、端末からの要求に対し、端末種別に応じたコンテンツに変換し、要求元の端末に配信するシステム技術が提案されている。
【特許文献１】特開２００１−２７３１８８号公報
【発明の開示】
【発明が解決しようとする課題】
【０００３】
従来のこの種システム技術は、複数種類の端末に対して提供用のコンテンツを共用できるが、サーバ側にコンテンツの変換機能を必要とし、かつ端末がサービスを要求する際に、端末の種別毎に要求先のサイトが異なることから、ユーザに対する操作負担が大きいという問題があった。
【０００４】
本発明は上記実情に鑑みなされたもので、複数種の端末を選択的に用いてユーザがコンテンツサービスを受ける際にユーザの操作負担を軽減できるホームサーバシステムおよびコンテンツ配信方法を提供することを目的とする。
【課題を解決するための手段】
【０００５】
本発明によれば、複数種の端末がネットワーク接続装置を介してコンテンツサーバからコンテンツを取得するホームサーバシステムに於いて、前記複数種の端末は、当該端末の種別情報および個体識別情報を保持する保持手段と、コンテンツ識別情報を含むコンテンツの要求を前記ネットワーク接続装置に送信する通信手段とを具備し、前記ネットワーク接続装置は、前記複数種の端末を対象に、通信が確立された端末それぞれの前記保持手段に保持された種別情報および個体識別情報を取得し、当該取得した情報を含む端末管理情報を生成して保持する端末管理手段と、前記通信が確立された端末から前記要求を受け、前記要求に含まれるコンテンツ識別情報と前記端末管理手段が保持する端末管理情報を用いてコンテンツを選択し、当該選択したコンテンツを取得する要求を前記コンテンツサーバに送信するコンテンツ選択手段とを具備したホームサーバシステムが提供される。
【０００６】
また本発明によれば、複数種の端末がネットワーク接続装置を介してコンテンツサーバからコンテンツを取得する情報システムのコンテンツ配信方法に於いて、前記複数種の端末は、当該端末の種別情報および個体識別情報を保持して、前記ネットワーク接続装置と通信が確立したとき種別情報および個体識別情報を前記ネットワーク接続装置に送信する手段と、コンテンツ識別情報を含むコンテンツの要求を前記ネットワーク接続装置に送信する手段とを具備し、前記ネットワーク接続装置は、前記複数種の端末を対象に、通信が確立された端末それぞれの前記保持手段に保持された種別情報および個体識別情報を取得し、当該取得した情報を含む端末管理情報を生成し保持する手段と、前記通信が確立された端末から前記要求を受けたとき、前記要求に含まれるコンテンツ識別情報と前記端末管理手段が保持する端末管理情報を用いてコンテンツを選択し、当該選択したコンテンツを取得する要求を前記コンテンツサーバに送信する手段とを具備して、前記コンテンツサーバは前記ネットワーク接続装置から受けた前記要求に従い、要求元の前記端末に、当該端末の種別に応じたコンテンツを配信するコンテンツ配信方法が提供される。
【発明の効果】
【０００７】
ユーザがコンテンツサービスを受ける際にユーザの操作負担を軽減できる。
【発明を実施するための最良の形態】
【０００８】
以下図面を参照して本発明の実施形態を説明する。
【０００９】
図１は本発明の実施形態に係るホームサーバシステムの構成例を示したもので、ホームネットワーク１０の複数種の端末とコンテンツサーバシステム２０との間でインターネット３０を経由してコンテンツサービス要求並びにコンテンツサービス配信が行われる。
【００１０】
ホームネットワーク１０は、ネットワーク接続装置として用いたゲートウェイ（ＧＷ）１１と、このゲートウェイ１１と通信が可能な複数種の端末１２により実現される。この複数種の各端末１２は、それぞれＢｌｕｅｔｏｏｔｈ（ＴＭ）若しくは無線ＬＡＮによる無線通信手段を用いてゲートウェイ１１と通信を行う。ホームネットワーク１０で使用可能な複数種の端末１２として、ここではＰＤＡ（Personal Digital Assistant）１２（ａ）、タッチパネル型端末（ＴＰ）１２（ｂ）、ヘッドセット等のオーディオ端末１２（ｃ）、携帯電話端末（ＣＰ）１２（ｄ）、インターネット接続用ＳＴＰ（set-top box）１２（ｅ）等を例に挙げて示している。
【００１１】
上記複数種の端末１２は、それぞれ個体識別情報となるＩＤと種別情報を固定的に保持する保持手段を具備する。このＩＤと種別情報を固定的に保持した上記端末の一構成例を図３に示す。また上記保持手段については図３および図４を参照して後述する。
【００１２】
図３は上記した各端末１２のうち、一例としてＰＤＡ１２（ａ）の構成例を示したもので、この構成例に於けるＰＤＡ１２（ａ）は、ＣＰＵ１２１、ＲＯＭ１２２、ＲＡＭ１２３、メモリカード１２４の接続インタフェース、操作入力部１２５、表示部１２６、音声入力部となるマイクロフォン１２７、音声出力部となるスピーカ１２８、ネットワークインタフェース部１２９等の構成要素をもつ。なお、タッチパネル型端末１２（ｂ）もほぼ同様の構成要素をもつ。上記ＲＯＭ１２１の所定領域には、ＩＤと種別情報が端末情報として、例えば端末製造時に固定的に記録される。なお、ＩＤは端末を一意に識別する情報、種別情報は端末の種別を示す情報である。ＣＰＵ１２１は端末全体の制御を司る。表示部１２６には、例えばコンテンツサーバシステム２０から配信されたコンテンツサービスの情報が表示される。ネットワークインタフェース部１２９はＣＰＵ１２１の制御の下に後述するゲートウェイ１１のホーム端末側ネットワークインタフェース１１１との間で無線通信接続を行う。例えばゲートウェイ１１からのポーリングに対して上記ＲＯＭ１２２に格納された端末情報（ＩＤと種別情報）をポーリング応答として返す。このＩＤと種別情報をゲートウェイ１１に送信する処理手順については図７を参照して後述する。
【００１３】
さらに上記各端末１２は、コンテンツ識別情報となる例えばＵＲＬ（uniform resource locator）を含むコンテンツサービス要求を上記通信手段を用いてゲートウェイ１１に送信する機能をもつ。このコンテンツサービス要求をゲートウェイ１１に送信する手順については図１０を参照して後述する。
【００１４】
ゲートウェイ１１はホームサービスエリア１０を構成する。ゲートウェイ１１は上記各端末１２との間で無線通信が可能なエリアをホームサービスエリア１０として、このホームサービスエリア１０内に存在する端末１２をポーリングにより検索し、検索した端末１２からＩＤと種別情報を取得し、この取得したＩＤと種別情報を端末管理情報の一部構成要素として保持する処理機能をもつ。この端末検索並びに情報取得の処理は、ゲートウェイ１１のポーリングに端末が応答することによって実現される。この際の端末側の処理手順については図７を参照して後述する。また上記端末管理情報の構成については図６を参照して後述する。
【００１５】
またゲートウェイ１１は、起動時（初期動作時）に於いて、コンテンツサーバシステム２０のＷｅｂサーバ２２から、当該サーバが保存している端末別のコンテンツに対応する端末種別とコンテンツ場所を示すアクセス先情報とを対応付けたサービス提供情報を取得してテーブルに登録する処理機能をもつ。さらにこのサービス提供情報を参照して端末管理情報を生成しテーブルに登録する処理機能をもつ。このサービス提供情報の構成については図５を参照して後述する。このサービス提供情報は上記端末管理情報の一構成要素となる。このサービス提供情報のアクセス先情報を含んだ端末管理情報の構成については図６を参照して後述する。また端末管理情報の生成並びに管理機能については図９を参照して後述する。
【００１６】
またゲートウェイ１１は、通信が確立された端末１２から上記コンテンツサービス要求を受け、当該要求に含まれるコンテンツ識別情報（例えばＵＲＬ）と上記端末管理情報を用いて上記要求を行った端末の種別に適合するコンテンツを選択し、当該選択したコンテンツを取得するコンテンツサービス要求をインターネット３０を介しコンテンツサーバシステム２０に送信するコンテンツ選択機能をもつ。このコンテンツ選択機能を備えたゲートウェイ１１の構成については図２を参照して後述する。またコンテンツを選択する（ここではＵＲＬを変換する）処理手順については図１０を参照して後述する。
【００１７】
コンテンツサーバシステム２０は、ルータ（ＲＴ）２１と、Ｗｅｂサーバ２２と、コンテンツデータベース２３とを有して構成される。ルータ２１はインターネット３０を介しＷｅｂサーバ２２とゲートウェイ１１との間でやりとりされるサービス要求および端末に配信するコンテンツサービスを中継する。Ｗｅｂサーバ２２はルータ２１を介してゲートウェイ１１からサービス要求を受けると、コンテンツデータベース２３から要求に従う端末種別のコンテンツを取得し、ルータ２１を介してホームサービスエリア１０に送信する。コンテンツデータベース２３は、ホームサービスエリア１０の各端末１２に種別にコンテンツサービスを行う複数種の配信用コンテンツを保存している。すなわち複数種の端末（端末種別ａ、端末種別ｂ、…）に対して、同一内容のコンテンツサービスを行う場合に、上記各端末１２の種別毎に、例えば表示機能、画面サイズ等を適合させた、同一内容の複数種のコンテンツ（端末種別ａ用、端末種別ｂ用等）を保存している。
【００１８】
上記ゲートウェイ１１の機能構成を図２に示している。ゲートウェイ１１は、ホーム端末側ネットワークインタフェース１１１と、Ｗｅｂサーバ側ネットワークインタフェース１１２と、端末検出・管理手段１１３と、コンテンツ選択手段１１４と、サービス情報管理手段１１５と、サービス提供情報テーブル１１７と、端末管理情報テーブル１１８とを有して構成される。
【００１９】
ホーム端末側ネットワークインタフェース１１１はホームサービスエリア１０の各端末１２と無線通信接続を行う。Ｗｅｂサーバ側ネットワークインタフェース１１２はインターネット３０およびルータ２１を介してコンテンツサーバシステム２０に設けられたＷｅｂサーバ２２と通信接続を行う。
【００２０】
端末検出・管理手段１１３は、ホーム端末側ネットワークインタフェース１１１を介してホームサービスエリア１０に存在する端末１２を検索し、検索した端末１２からＩＤと種別情報を対応付けた図４に示す端末情報（Ｔ１）を取得して、この端末情報（Ｔ１）のＩＤと種別情報を端末管理情報テーブル１１８に、図６に示す端末管理情報（Ｔ３）の一部構成要素として保持する処理機能をもつ。この端末検索並びに情報取得の処理は、端末１２がポーリングに応答することによって実現される。この際の端末１２の処理手順を図７に示している。
【００２１】
端末検出・管理手段１１３は、ホーム端末側ネットワークインタフェース１１１を介してホームサービスエリア１０に存在する端末１２をポーリングにより検索する。ホームサービスエリア１０に存在する端末１２が起動して通信可能な状態になると、若しくは動作状態にある端末１２がホームサービスエリア１０内に移動して通信可能な状態になると（ステップＳ１１）、当該端末１２はホーム端末側ネットワークインタフェース１１１から一定間隔で送信されるポーリング情報を受信する（ステップ１２）。ポーリング情報を受信した端末１２は、自端末が保持するＩＤと種別情報で構成される端末情報（Ｔ１）をポーリング応答としてホーム端末側ネットワークインタフェース１１１に返し（ステップＳ１３）、ゲートウェイ１１への機器登録を完了する（ステップＳ１４）。端末検出・管理手段１１３はホーム端末側ネットワークインタフェース１１１からポーリングにより検出した端末１２のＩＤと種別情報で構成された図４に示す端末情報（Ｔ１）を端末管理情報テーブル１１８に登録する。
【００２２】
コンテンツ選択手段１１４は、通信が確立された端末１２から上記コンテンツサービス要求を受け、当該要求に含まれるコンテンツ識別情報（ＵＲＬ）と端末管理情報テーブル１１８に登録された端末管理情報を用いてコンテンツを選択し、当該選択したコンテンツを取得するコンテンツサービス要求をインターネット３０を介しコンテンツサーバシステム２０に送信するコンテンツ選択機能をもつ。このコンテンツを選択する（ここではＵＲＬを変換する）処理手順については図１０を参照して後述する。
【００２３】
サービス情報管理手段１１５は、ゲートウェイ１１の起動時に於いて、コンテンツサーバシステム２０のＷｅｂサーバ２２から、当該サーバが保存している端末別のコンテンツに対応する端末種別とコンテンツ場所を示すアクセス先情報を対応付けた、図５に示すサービス提供情報（Ｔ２）を取得してサービス提供情報テーブル１１７に登録する処理機能をもつ。この処理手順を図８に示している。サービス情報管理手段１１５は、ゲートウェイ１１の起動時（ステップＳ２１）に於いて、コンテンツサーバシステム２０のＷｅｂサーバ２２へサービス提供情報を要求し（ステップＳ２２）、Ｗｅｂサーバ２２から、当該サーバが保存している端末別のコンテンツに対応する端末種別とコンテンツ場所を示すアクセス先情報を対応付けた、図５に示すサービス提供情報（Ｔ２）を取得し、サービス提供情報テーブル１１７に登録する。
【００２４】
ゲートウェイ１１の動作状態下に於いて、端末検出・管理手段１１３は、ホームサービスエリア１０内に存在する通信可能な端末１２を常時ポーリングにより監視して、通信が可能な状態にある端末１２の端末管理情報（Ｔ３）を生成し、当該端末管理情報（Ｔ３）を端末管理情報テーブル１１８に登録する。この端末管理情報（Ｔ３）の生成並びに管理の処理手順を図９に示している。端末検出・管理手段１１３はホーム端末側ネットワークインタフェース１１１を介してホームサービスエリア１０に一定の時間間隔で定期的にポーリング情報をブロードキャストで送信する（ステップＳ３１，Ｓ３２）。ホームサービスエリア１０に存在する、ゲートウェイ１１と通信が可能な端末１２は、上記ポーリング情報を受信すると端末情報（Ｔ１）をポーリング応答として送信する。端末検出・管理手段１１３はホーム端末側ネットワークインタフェース１１１を介してホームサービスエリア１０内の各端末１２からのポーリング応答を受信すると（ステップＳ３３）、その応答をキューイングし、キューから一つずつ取り出して、応答した端末が端末管理情報テーブル１１８に登録済みであるか否かをチェックする（ステップＳ３４）。
【００２５】
ここで応答した端末が端末管理情報テーブル１１８に登録されていないときは（ステップＳ３４  Ｎｏ）、当該端末の端末管理情報（Ｔ３）を生成し端末管理情報テーブル１１８に登録する（ステップＳ３６）。この端末管理情報（Ｔ３）は、図４に示す端末情報（Ｔ１）と図５に示すサービス提供情報（Ｔ２）とゲートウェイ１１が端末に割り付けたＩＰアドレスと、時間情報とにより生成される。この端末管理情報（Ｔ３）に於いて、「ＩＤ」は端末を一意に識別する情報、「種別」は端末の種別（例えば図１に示すＰＤＡ／ＴＰ／ＣＰ／ＳＴＢ等）を示す情報、「アクセス先情報」はコンテンツサーバシステム２０（Ｗｅｂサーバ２２）上のコンテンツ保存場所、「時間」は管理用のリフレッシュタイムである。この時間情報は上記ポーリングに応答した端末に対してその都度クリアされ、設定時間を超える値となったとき長時間に亘りホームサービスエリア１０内で動作していないものと判断して使用端末管理情報テーブル１１８から削除される。このように上記ポーリングによって動的にエントリが作成される。
【００２６】
また、上記応答した端末が端末管理情報テーブル１１８に登録済みであるときは（ステップＳ３４  Ｙｅｓ）端末管理情報テーブル１１８の時間情報をクリアする（ステップＳ３５）。
【００２７】
上記した端末管理情報（Ｔ３）の登録並びに管理処理（ステップＳ３１〜Ｓ３６）がキューに積まれたすべての端末応答に対して実行される（ステップＳ３７）。その後、端末管理情報テーブル１１８上に於いて、上記時間情報が設定時間を超える値となった端末が存在するとき、当該端末が長時間に亘りホームサービスエリア１０内で動作していないものと判断して当該端末の端末管理情報（Ｔ３）を使用端末管理情報テーブル１１８から削除する（ステップＳ３８）。
【００２８】
上記ホームサービスエリア１０に存在するゲートウェイ１１と通信可能な端末１２がコンテンツサーバシステム２０にコンテンツサービス（例えばＷｅｂページ）を要求したときの端末１２とゲートウェイ１１とＷｅｂサーバ２２との各部処理手順を図１０に示している。
【００２９】
端末１２は所定の通信ソフトウェア、例えばブラウザを立ち上げて（ステップＳ４１）、Ｗｅｂサーバ２２にＷｅｂページを要求する（ステップＳ４２）。ゲートウェイ１１は上記端末１２のＷｅｂページ要求を受信すると（ステップＳ４３）、端末管理情報テーブル１１８に登録された端末管理情報（Ｔ３）を参照して、上記端末１２のＩＰアドレスから端末種別を割り出し（ステップＳ４４）、その端末種別に従い上記端末１２が要求したＷｅｂページのＵＲＬを変更して、変更したＵＲＬをＷｅｂサーバ２２に送信する（ステップＳ４５）。例えば、端末１２から受けたＵＲＬ「http://a/b.html」に対して、当該ＵＲＬのファイル指定部分を変更し、端末１２から受けたＵＲＬ「http://a/b.html」を「http://a/b-ta.html」に変更してＷｅｂサーバ２２に送信する。ここでの変更部分を図に波線で示している。Ｗｅｂサーバ２２はゲートウェイ１１から上記Ｗｅｂページ要求を受信すると（ステップＳ４６）、当該Ｗｅｂページ要求に従うＷｅｂページをゲートウェイ１１を介してＷｅｂページ要求を出した端末１２に送信する（ステップＳ４７）。この送信はゲートウェイ１１のグローバルＩＰアドレスとローカルＩＰアドレスに従う。端末１２はゲートウェイ１１を介してＷｅｂサーバ２２からＷｅｂページを受信し表示出力する。これによってユーザは操作端末（使用端末）を何ら意識することなく常に操作端末の表示機能、表示画面サイズ等に適合したＷｅｂページを取得することができる。
【図面の簡単な説明】
【００３０】
【図１】本発明の実施形態に係るホームサーバシステムの構成例を示をブロック図。
【図２】上記実施形態に係るゲートウェイの機能構成を示すブロック図。
【図３】上記実施形態に係る端末の構成を示すブロック図。
【図４】上記実施形態に係る端末情報の構成を示す図。
【図５】上記実施形態に係るサービス提供情報の構成を示す図。
【図６】上記実施形態に係る端末管理情報の構成を示す図。
【図７】上記実施形態に係る端末のポーリング応答処理手順を示すフローチャート。
【図８】上記実施形態に係るゲートウェイのサービス提供情報取得処理手順を示すフローチャート。
【図９】上記実施形態に係る端末管理情報の生成並びに管理処理手順を示すフローチャート。
【図１０】上記実施形態に係るコンテンツサービス要求に従う端末とゲートウェイとＷｅｂサーバとの処理手順を示すフローチャート。
【符号の説明】
【００３１】
１０…ホームネットワーク、１１…ゲートウェイ（ＧＷ）、１２…端末、１２（ａ）…ＰＤＡ、１２（ｂ）…タッチパネル型端末（ＴＰ）、１２（ｃ）…オーディオ端末、１２（ｄ）…携帯電話端末（ＣＰ）、１２（ｅ）…インターネット接続用ＳＴＰ、２０…コンテンツサーバシステム、２１…ルータ（ＲＴ）、２２…Ｗｅｂサーバ、２３…コンテンツデータベース、３０…インターネット、１１１…ホーム端末側ネットワークインタフェース、１１２…Ｗｅｂサーバ側ネットワークインタフェース、１１３…端末検出・管理手段、１１４…コンテンツ選択手段、１１５…サービス情報管理手段、１１７…サービス提供情報テーブル、１１８…端末管理情報テーブル、１２１…ＣＰＵ、１２２…ＲＯＭ、１２３…ＲＡＭ、１２４…メモリカード、１２５…操作入力部、１２６…表示部、１２７…音声入力部（マイクロフォン）、１２８…音声出力部（スピーカ）、１２９…ネットワークインタフェース部、Ｔ１…端末情報、Ｔ２…サービス提供情報、Ｔ３…端末管理情報。
【図１】
2006127220.tif 000003
【図２】
2006127220.tif 000004
【図３】
2006127220.tif 000005
【図４】
2006127220.tif 000006
【図５】
2006127220.tif 000007
【図６】
2006127220.tif 000008
【図７】
2006127220.tif 000009
【図８】
2006127220.tif 000010
【図９】
2006127220.tif 000011
【図１０】
2006127220.tif 000012